(57)【要約】【課題】容器内の錠剤（固形内容物）の最上層部分を押えて保持する押え具の保持性能を高め、また、当該押え具の容器内への自動装填の容易化を図ることを目的とする。【解決手段】パッキング10(押え具）は、中央部分11と、これから放射状に延びる腕部12および扇状部分13と、を一体成形した単層構造のもので、弾性を有している。当該パッキングを容器に詰めると、腕部12の延伸部分12ｂがその弾性力で容器の内壁を押圧し中央部分11，扇状部分13，腕部12の中央側部分12ａが容器内部の錠剤を押さえたかたちに自己保持されるので、輸送中の振動などによる錠剤の破損が防止される。パッキング10を取り出すには、延伸部分12ｂを摘んで引き上げればよい。腕部12と扇状部分13との間のスリット14は十分に狭いので、錠剤が当該スリットに挟まれたりパッキングの上面側に飛び出したりすることはない。(b)のパッキング20はパッキング取出用の取っ手部21を有している。【選択図】図１
2005289395.tif 000002
【特許請求の範囲】
【請求項１】
容器に収納された多数の固形内容物の最上層部分を覆う形で容器内部に詰めて当該固形内容物の破損や移動を抑止する容器内容物の押え具において、
前記最上層部分の固形内容物に接触してこれを保持するための固形内容物保持部と、
前記容器の開口部と平行な容器内部空間面よりも外側まで延びる態様のもので、前記容器内部における自らの変位・復帰作用に基づいて容器内周面に当接して支持されることにより、前記固形内容物保持部の前記接触状態を維持するための接触状態持続部とを備え、
前記固形内容物保持部および前記接触状態持続部の全体を単層構造とした、
ことを特徴とする容器内容物の押え具。
【請求項２】
前記固形内容物保持部として、中央の基部と、その周りに続く複数の扇状部と、当該扇状部同士の間にこれらから分離する態様で当該基部と一体に設けた伸長部の基部側部分と、を用い、
前記接触状態持続部として、前記伸長部の先端側部分を用いる、
ことを特徴とする請求項１記載の容器内容物の押え具。
【請求項３】
前記接触状態持続部に取り出し用のつまみ部を設けた、
ことを特徴とする請求項１または２記載の容器内容物の押え具。
【発明の詳細な説明】
【技術分野】
【０００１】
本発明は、容器に収納された多数の、例えば錠剤などの破損や移動を抑止する容器内容物の押え具に関し、特に単層構造で自らの変位・復帰作用で容器内周面に支持されて錠剤などの最上層部分を押さえる容器内容物の押え具に関する。
【背景技術】
【０００２】
容器内の多数の内容物（錠剤など）の破損を防止するためのパッキングとして、プラスチック製の積層シートに複数の切れ目部分を形成したものが開示されている（特許文献１参照）。
【０００３】
このシート状のパッキングを容器に詰めるには、切れ目部分が上側になるように当該パッキングを折り畳んで層状にしてから、錠剤が入った容器の開口部に入れなければならない。
【０００４】
パッキングは狭い容器内部で収縮し、その切れ目部分が容器の開口部側に立ち上がった状態となる。したがって、錠剤を使用する際にパッキングを容器から取り出すには、この立ち上がった切れ目部分を摘んでパッキング全体を上側に引き上げればよい。
【特許文献１】実開平１−１４１２２６号公報
【発明の開示】
【発明が解決しようとする課題】
【０００５】
このような従来の折りたたんだ態様で用いられるシート状のパッキングの場合、錠剤などを抑えた状態を自らの変位・復帰作用によって（容器内周面に）自己保持するといった機能を備えていない。
【０００６】
そのため、パッキングで錠剤などを押えた状態の容器が例えば振動を受けたり、上下逆になったりすると、当該パッキングが最初の押さえ状態からずれてしまい、容器内の錠剤をその静止状態に十全に保持できなくなるという問題点があった。
【０００７】
また、このシート状のパッキングを容器に詰めるには、まず切れ目部分が上側になるようにして折り畳み層状にし、次にこの層状のパッキングを容器開口部から詰めるという二つの作業を行わなければならず、手間がかかるという問題点があった。
【０００８】
また、輸送の際の振動などにより錠剤が層状のパッキングの間や切れ目部分に入り込みやすく、利用者がパッキングを取り出す際にその間に挟まれた錠剤まで一緒に外部空間に飛び出してしまうという問題点もあった。
【０００９】
そこで本発明では、錠剤などの固形内容物の押え具（パッキング）を容器に入れたときの作動状態、すなわち固形内容物の最上層部分を押えた状態を、押え具自体の変位・復帰作用に基づいて容器内周面に支持される態様のものとし、これにより容器が反転したり振動を受けたりするときなどにもその中の多数の固形内容物全体を確実に押さえて、当該固形内容物それぞれの十分な保護を図ることを目的とする。
【００１０】
さらには、固形内容物押え具の主要部自体を単層構造のものとし、これにより工場の製造ラインで当該押え具を錠剤入りの容器に当該押え具を自動装填可能として、最終製品の生産効率の向上化を図ることを目的とする。
【００１１】
また、この押え具の単層構造化により、押え具同士の間に固形内容物が入り込むといったことを原理的に回避して、利用者が容器から固形内容物を取り出すときの利便化を図ることを目的とする。
【課題を解決するための手段】
【００１２】
本発明は、以上の課題を次のようにして解決する。
（１）容器(例えば後述の容器３０)に収納された多数の固形内容物（例えば後述の錠剤３１）の最上層部分（例えば後述の最上層部分３１ａ)を覆う形で容器内部に詰めて当該固形内容物の破損や移動を抑止するための容器内容物の押え具（例えば後述のパッキング１０，２０）において、前記最上層部分の固形内容物に接触してこれを保持するための固形内容物保持部（例えば後述の中央部分１１，腕部１２の中央側部分１２ａ，扇状部分１３）と、前記容器の開口部（例えば後述の開口部３０ａ）と平行な容器内部空間面よりも外側まで延びる態様のもので、前記容器内部における自らの変位・復帰作用に基づいて容器内周面に当接支持されることにより、前記固形内容物保持部の前記接触状態を維持するための接触状態持続部（例えば後述の延伸部分１２ｂ）と、を備え、前記固形内容物保持部および前記接触状態持続部の全体を単層構造とする。
（２）上記（１）において、前記固形内容物保持部として、中央の基部（例えば後述の中央部分１１）と、その周りに続く複数の扇状部（例えば後述の扇状部分１３）と、当該扇状部同士の間にこれらから分離する態様で当該基部と一体に設けた伸長部（例えば後述の腕部１２）の基部側部分（例えば後述の中央側部分１２ａ）と、を用い、前記接触状態持続部として、前記伸長部の先端側部分（例えば後述の延伸部分１２ｂ）を用いる。
（３）上記（１）または（２）において、前記接触状態持続部に取り出し用のつまみ部（例えば後述の取っ手部２１）を設ける。
【発明の効果】
【００１３】
本発明は、接触状態持続部の変位・復帰作用により、固形内容物保持部が固形内容物の最上層部分に接触した状態が維持され、容器に入っている多数の固形内容物の全体は押え具でいわば静的にしっかりと押さえられるので、容器が動いたり，振動したり，反転したりしてもその中の固形内容物の破損や移動を確実に抑止することができる。
【００１４】
また、容器に押え具を装填する際にこれを折り畳む必要がないので、当該押え具をそのまま自動充填機にセットして容器に詰めることができ、作業効率の向上を図ることができる。
【００１５】
また、単層構造の押え具の中に錠剤などの固形内容物が入り込む余地はなく、当該押え具を取り出す際に不用意に固形内容物まで一緒に外部空間に飛び出すといったことがないので、使い勝手の良い押え具を提供することができる。
【００１６】
また、接触状態持続部として伸長部の先端側部分を用い、さらには接触状態持続部に取り出し用のつまみ部を設けたりしているので、容器内容物部に詰められている押え具を簡単に取り出すことができる。
【発明を実施するための最良の形態】
【００１７】
図１および図２を用いて本発明を実施するための最良の形態を説明する。
【００１８】
図１は容器用パッキングを示す説明図であり、(a)は単層構造のパッキング、(b)は取っ手部付のパッキングをそれぞれ示している。また、図２は図１(a)のパッキングを容器に詰めた状態を示す説明図である。
【００１９】
これらの図において、
１０はパッキング（その１），
１１は後述の容器３０に収納された錠剤３１が互いにぶつかり、また容器３０の内壁にぶつかるのを防止するために当該錠剤の最上層部分３１ａを押さえる円形状の中央部分，
１２は当該中央部分から四方向（直交する方向）に放射状に延びる腕部，１２ａは中央部分１１と同様に錠剤３１の最上層部分３１ａを押さえる当該腕部の中央側部分，１２ｂはパッキング１０を後述の容器３０に入れたときに上方向に撓んで当該パッキング取出用の摘み部になるとともに弾性力により容器３０の内壁を押圧して当該パッキングが錠剤３１の最上層部分３１ａを押さえた状態に自己保持するための当該腕部の延伸部分，１２ｃは当該腕部の端部，
１３は腕部１２同士の間に設けられ後述の容器３０内の錠剤３１を押さえるための扇状部分，１３ａは当該扇状部分の端部，
１４は扇状部分１３と腕部１２との間に形成され、両者が個別に変形できるようにするためのスリット，
２０は取っ手部２１を設けたパッキング（その２），
２１は中央部分１１を挟んで対向する各腕部１２の延伸部分１２ｂに取り付けられて中央部分１１に対向する範囲を多少膨らませた態様の取っ手部，
３０は容器，３０ａは開口部，３０ｂは当該開口部と同じ内径の首部分，３０ｃはその内径が当該首部分から徐々に大きくなる肩部分，３０ｄは当該肩部分よりも大きい内径の胴体部分，
３１は容器３０に収納された錠剤，３１ａは当該錠剤の最上層部分，
Ａはパッキング１０，２０の最大外寸（中央部分１１を挟んで対向する腕部１２の端部１２ｃ間の距離），
Ｂは中央部分１１を挟んで対向する扇状部分１３の端部１３ａ間の距離，
Ｄはパッキング１０，２０の厚み，
Ｅは容器３０の開口部３０ａおよび首部分３０ｂの内径，
Ｆは容器３０の胴体部分３０ｄの内径，
をそれぞれ示している。
【００２０】
ここで、パッキング１０，２０は、低密度ポリエチレン，発泡ポリエチレン，発泡ポリエステル，発泡ポリウレタン，発泡スチロールなどのプラスチックを用いて一体成形された製品で、弾性を有している。その他、弾性・可撓性を有する任意の材質からなるパッキング、例えばゴム製，スポンジ製や紙製のパッキングを用いてもよい。
【００２１】
また、取っ手部２１の材質は、例えばポリエチレン，ポリエステル，ポリスチレンなどである。パッキング１０，２０と同一の材質でもよい。
【００２２】
なお、容器内の錠剤３１の最上層部分は、容器３０の胴体部分３０ｄ，肩部分３０ｃおよび首部分３０ｂの中の任意の位置となるが、図２では、単なる説明の便宜上、肩部分３０ｃまで錠剤３１が収納された場合を前提にする。
【００２３】
図１(a)に示すように、パッキング１０は、中央部分１１と、これから放射状に延びる４本の腕部１２および当該腕部間の４個の扇状部分１３と、を一体に成形した略同一面の平坦な形状である。
【００２４】
そして、腕部１２と扇状部分１３との間には両者が互いに分離されるようにスリット１４が形成されている。
【００２５】
したがって、パッキング１０は立体的な形状に変形自在であり、その弾性力により変形後の立体的な形状から元の平坦な形状に復帰しようとする。
【００２６】
このような特徴により、当該パッキングを容器３０に詰める際には、従来のシート状パッキングのようにいったん折り畳むことなくこの平坦な形状のまま自動充填機にセットできる。
【００２７】
また、パッキング１０は、従来のパッキングのように層状ではないのでパッキングを取り出すときに層の間に入り込んだ錠剤まで一緒に容器の外に飛び出てしまうといったことがない。
【００２８】
錠剤３１が収納された容器３０の開口部３０ａにパッキング１０を自動充填機により入れるとき、当該パッキングの最外寸Ａは容器開口部３０ａの内径Ｅよりも大きいので、パッキング１０は、全体として、その扇状部分１３（の外側部分）や腕部１２が上に向いた椀状に変形する。
【００２９】
そして、パッキング１０は、扇状部分１３が首部分３０ｂを通過するまではこのままの形状で容器３０に入っていく。
【００３０】
図２に示すように、パッキング１０をその中央部分１１が錠剤３１の最上層部分３１ａに当接するまでさらに押し込むと、扇状部分１３は、その端部１３ａ間の距離Ｂよりも大きい内径の肩部分３０ｃに位置する。
【００３１】
したがって、当該パッキングの中央部分１１，扇状部分１３，（腕部１２の）中央側部分１２ａは、それぞれの弾性力により元の状態に復帰して錠剤３１の最上層部分３１ａを押える。
【００３２】
そして、厚みＤのパッキング１０は、その弾性力によりクッションのように作用するため、容器の輸送時や陳列作業時、さらには利用者が容器を振ったりしたときなどに当該錠剤同士がぶつかったり錠剤が容器３０の内壁にぶつかって破損するのを防止できる。
【００３３】
このとき、扇状部分１３の端部１３ａは容器３０の内壁に接近するので錠剤３１の最上層部分３１ａを広範囲にわたって押さえることができる。
【００３４】
また、錠剤３１が扇状部分１３と容器３０の内壁との間を通過してパッキング１０の上側部分に移動するのも防止できる。
【００３５】
なお、前述のようにパッキング１０の最外寸Ａは首部分３０ｂの内径Ｅよりも大きいので、腕部１２の延伸部分１２ｂは依然、上方向に撓んだまま首部分３０ｂに位置し、その弾性力で当該首部分の内壁を押圧したかたちとなる。
【００３６】
これにより、パッキング１０は、中央部分１１や扇状部分１３などが錠剤３１の最上層部分３１ａを押さえたかたちのまま容器３０の首部分３０ｂの内壁に自己保持されるので、輸送中の振動などにより錠剤３１が互いにぶつかり、または錠剤３１が容器の内壁にぶつかって破損することが防止される。
【００３７】
錠剤３１を使用する際にパッキング１０を容器３０から取り出すには、開口部３０ａの方に立ち上がり、指が届きやすい状態となっている延伸部分１２ｂを摘んで引き上げればよい。
【００３８】
このとき、パッキング１０は上述のような単層構造となっており、またスリット１４の幅も十分に狭いため、錠剤３１が当該パッキングの間に入り込むことはなく、当該錠剤まで一緒に容器３１の外に飛び出てしまうといったことも生じない。
【００３９】
パッキング２０は取っ手部２１を設けたものであり、その他の構成要素はパッキング１０と同様である。
【００４０】
取っ手部２１は、パッキング全体の中央部分１１および腕部１２の中央側部分１２ａとの間に空間を形成する、すなわち当該中央部分および当該中央側部分のそれぞれから離間するかたちで、腕部１２の延伸部分１２ｂに接着されている。なお、取っ手部２１は腕部１２の延伸部分１２ｂに溶着してもよい。
【００４１】
パッキング２０を容器３０に詰めると、当該パッキングは、パッキング１０と同様に、延伸部分１２ｂが首部分３０ｂの内壁を押圧して、その中央部分１１や腕部１２の中央側部分１２ａが錠剤３１の最上層部分３１ａを押さえた状態に自己保持される。
【００４２】
そして、腕部１２の延伸部分１２ｂが開口部３０ａ側に立ち上がることによって当該腕部同士は近づいたかたちとなるので、取っ手部２１も開口部３０ａ側に持ち上がった状態となり、当該取っ手部を持って引き上げると簡単にパッキング２０を取り出すことができる。
【００４３】
なお、パッキング１０，２０は、容器３０に収納された錠剤３１の最上層部分３１ａを押さえたかたちのまま容器３０の内壁に自己保持される形状であればよく、腕部１２や扇状部分１３の数は任意である。
【００４４】
また、例えば錠剤３１の充填量が少なくその最上層部分３１ａが容器３０の胴体部分３０ｄの場合には、パッキング１０，２０を容器３０に詰めたときに扇状部分１３の端部１３ａが当該容器の内壁に近づくように距離Ｂを大きくして内径Ｆに近似させ、さらに開口部分３０ａから延伸部分１２ｂに指が届くように最大外寸Ａを大きくすればよい。
【００４５】
また、図示のＡ，ＢおよびＤの寸法は、それぞれ容器の形状・大きさやその中に入れる内容物の種別・サイズなどに応じた任意の値に設定すればよい。
【００４６】
また、容器に収納される内容物は錠剤に限られるものではなく、粒状物や各種形状の固形物などが収納対象となる。
【図面の簡単な説明】
【００４７】
【図１】本発明の、容器用パッキングを示す説明図であり、(a)は単層構造のパッキング、(b)は取っ手部付のパッキングをそれぞれ示している。
【図２】本発明の、図１(a)のパッキングを容器に詰めた状態を示す説明図である。
【符号の説明】
【００４８】
１０：パッキング
１１：中央部分
１２：腕部
１２ａ：中央側部分
１２ｂ：延伸部分
１２ｃ：端部
１３：扇状部分
１３ａ：端部
１４：スリット
２０：パッキング
２１：取っ手部
３０：容器
３０ａ：開口部
３０ｂ：首部分
３０ｃ：肩部分
３０ｄ：胴体部分
３１：錠剤
３１ａ：最上層部分
Ａ：パッキングの最外寸
Ｂ：中央部分１１を挟んで対向する扇状部分１３の端部１３ａ間の距離
Ｄ：パッキングの厚み
Ｅ：容器３０の開口部３０ａおよび首部分３０ｂの内径
Ｆ：容器３０の胴体部分３０ｄの内径
【図１】
2005289395.tif 000003
【図２】
2005289395.tif 000004